(57)【要約】【課題】複数のリーダ／ライタ装置の間での相互干渉を防止する。【解決手段】情報アクセス・システムにおいて、複数の情報処理機器(600-612)の各々は、所定の通信装置を介してネットワークに接続されている期間に、ＩＤ要求ＲＦ信号の送信の許可を要求する要求信号を周期的に管理情報処理装置(700)に送信する。管理情報処理装置は、１つの情報処理機器(600)から要求信号を受信したとき、複数の情報処理機器の中にＩＤ要求ＲＦ信号の送信を許可された別の情報処理機器(612)が存在しない場合に、ＩＤ要求ＲＦ信号の送信の許可を表す応答信号をその１つの情報処理機器(600)に送信し、それによって任意の時点で複数の情報処理機器の中の１つの情報処理機器だけがＩＤ要求ＲＦ信号を送信する。【選択図】図１１
2008009867.tif 000002
【特許請求の範囲】
【請求項１】
ネットワーク上にあって所定の領域に設けられた所定の通信装置を介して前記ネットワークに接続可能な１つ以上の情報処理機器と、
前記ネットワークを介して前記１つ以上の情報処理機器と通信するよう構成された管理情報処理装置と、
を含む、非接触情報記憶装置内の情報にアクセスするための情報アクセス・システムであって、
前記１つ以上の情報処理機器の各々は読取り書込み装置を具え、
前記読取り書込み装置は、非接触情報記憶装置に第１の周波数の情報要求ＲＦ信号を周期的に繰り返し送信する送信部と、非接触情報記憶装置から第２の周波数の応答ＲＦ信号をいつでも受信可能なように連続的な受信待ち状態をとるよう構成された受信部と、を有し、
前記１つ以上の情報処理機器の各々は、前記所定の通信装置を介して前記ネットワークに接続されている期間に、前記情報要求ＲＦ信号の送信の許可を要求する要求信号を周期的に前記管理情報処理装置に送信し、
前記管理情報処理装置は、前記１つ以上の情報処理機器の中の１つの情報処理機器から前記要求信号を受信したとき、前記１つ以上の情報処理機器の中に前記情報要求ＲＦ信号の送信を許可された別の情報処理機器が存在しない場合に、前記情報要求ＲＦ信号の送信の許可を表す応答信号を前記１つの情報処理機器に送信し、それによって任意の時点で前記１つ以上の情報処理機器の中の１つの情報処理機器だけが前記情報要求ＲＦ信号を送信するよう構成されていることを特徴とする、情報アクセス・システム。
【請求項２】
前記管理情報処理装置は、前記情報要求ＲＦ信号の送信を許可された情報処理機器の識別情報を記憶装置に保持し、前記１つの情報処理機器から前記要求信号を受信したとき、前記記憶装置に保持された識別情報に対応する別の情報処理機器から所定時間以上前記要求信号を受信していない場合は、前記記憶装置に保持された識別情報を前記１つの情報処理装置の識別情報に書き換えて、前記情報要求ＲＦ信号の送信の許可を表す応答信号を前記１つの情報処理機器に送信することを特徴とする、請求項１に記載の情報アクセス・システム。
【請求項３】
前記管理情報処理装置は、前記情報要求ＲＦ信号の送信を許可された情報処理機器の識別情報を記憶装置に保持し、前記１つの情報処理機器から前記要求信号を受信したとき、前記記憶装置に保持された前記情報要求ＲＦ信号の送信を許可された別の情報処理機器の識別情報が存在する場合は、前記情報要求ＲＦ信号の送信の不許可を表す応答信号を前記１つの情報処理機器に送信することを特徴とする、請求項１に記載の情報アクセス・システム。
【請求項４】
前記１つ以上の情報処理機器の各々は、さらに、
その情報処理機器が前記ネットワークに接続されていることを検知したときに、前記ネットワークを介して前記情報要求ＲＦ信号の送信の許可を要求する要求信号を周期的に前記管理情報処理装置に送信する要求手段と、
その情報処理機器が前記ネットワークに接続されていることを検知しかつ前記情報要求ＲＦ信号の送信の許可を表す応答信号を受信したときに、その情報処理機器の前記読取り書込み装置に前記情報要求ＲＦ信号を周期的に繰り返し送信させる制御手段と、
を具えており、
前記要求手段は、その情報処理機器が前記ネットワークから切断されたことを検知したとき、前記要求信号の送信を停止し、
前記制御手段は、前記情報要求ＲＦ信号の送信の不許可を表す応答信号を前記管理情報処理装置から受信したとき、またはその情報処理機器の前記ネットワークとの接続が切断されたことを検知したとき、前記読取り書込み装置の前記送信部を不動作状態にすることを特徴とする、請求項１に記載の情報アクセス・システム。
【請求項５】
プロセッサと、記憶装置と、ネットワーク・インタフェースとを具え、ネットワークを介して１つ以上の情報処理機器と通信するよう構成された管理情報処理装置であって、
前記１つ以上の情報処理機器の各々は、非接触情報記憶装置に第１の周波数の情報要求ＲＦ信号を周期的に繰り返し送信し、非接触情報記憶装置から第２の周波数の応答ＲＦ信号をいつでも受信可能なように連続的な受信待ち状態をとるよう構成されており、
前記記憶装置は、前記情報要求ＲＦ信号の送信を許可された情報処理機器の識別情報を保持し、
前記プロセッサは、前記１つ以上の情報処理機器の中の１つの情報処理機器から前記情報要求ＲＦ信号の送信の許可を要求する要求信号を受信したとき、前記記憶装置の中に前記情報要求ＲＦ信号の送信を許可された別の情報処理機器の識別情報が存在しない場合に、前記情報要求ＲＦ信号の送信の許可を表す応答信号を前記１つの情報処理機器に送信し、前記記憶装置の中に前記情報要求ＲＦ信号の送信を許可された別の情報処理機器の識別情報が存在する場合は、前記情報要求ＲＦ信号の送信の不許可を表す応答信号を前記１つの情報処理機器に送信することを特徴とする、管理情報処理装置。
【発明の詳細な説明】
【技術分野】
【０００１】
本発明は、非接触で情報の読み取り書き込みが可能なアクティブ型の非接触情報記憶装置の読取りおよび書込みに関し、特に、省電力のアクティブ型のＲＦ  ＩＤまたは非接触ＩＣカードを読み取る複数の読取りおよび書込み装置からなるシステムに関する。
【背景技術】
【０００２】
バッテリ給電型すなわちアクティブ・タイプのＲＦ  ＩＤタグは、商品等に取り付けられまたは人によって携帯され、それら商品および人に関するＩＤおよび情報を含む所定の周波数のＲＦ信号を送信し、そのＲＦ信号はリーダ装置によって読み取られる。その読み取られた情報はコンピュータ等によってさらに処理され、商品の流通および人の行動を監視および管理できる。バッテリ給電によるアクティブ・タイプのＲＦ  ＩＤタグは、電力をリーダ／ライタ装置から非接触で受け取るパッシブ・タイプのＲＦ  ＩＤタグに比べて、通信可能距離が比較的長く、実用的である。しかし、アクティブ・タイプのＲＦ  ＩＤタグは、一定周期でＲＦ信号を送信するので、第三者によって追跡される危険性があり、セキュリティに問題がある。そのセキュリティ対策として、リーダ／ライタ装置からのタグＩＤの要求に対してのみ応答する改良型のアクティブＲＦ  ＩＤタグがある。
【０００３】
特表２０００−５０９５３６号公報（Ａ）には、高周波識別装置が記載されている。その高周波識別装置は、レシーバと、トランスミッタと、マイクロプロセッサとを備える集積回路を有する。レシーバとトランスミッタとは、共に、アクティブ・トランスポンダを構成する。その集積回路は、好ましくは、レシーバ、トランスミッタ及びマイクロプロセッサを含むモノリシックな単一ダイ集積回路である。その装置は、電力供給を磁気結合に依存するトランスポンダの代わりにアクティブ・トランスポンダを有するので、この装置は遥かに大きな有効範囲を有する。
【特許文献１】特表２０００−５０９５３６号公報
【０００４】
２０００年４月２１日付けで公開された特開２０００−１１３１３０号公報（Ａ）には、低消費電力のＩＣタグ検知システムが記載されている。そのシステムは、通信回路と制御部と、これらに電池から電力を供給する電源部と、計時手段と、を備え、所定の設定時刻ごとに送信を行うＩＣタグであって互いに設定時刻の異なるものを複数個備えるとともに、これらとの通信に基づいてそれぞれの有無を検知する検知機も備えていて、検知機が、通信回路を有し、その受信の有無をＩＣタグそれぞれの設定時刻ごとに逐次判別して検知を行う。検知機からの問い合わせが無いので、ＩＣタグは無駄な反応や電池消耗を回避できる。
【特許文献２】特開２０００−１１３１３０号公報
【０００５】
２００１年９月１４付けで公開された特開２００１−２５１２１０号公報（Ａ）には、二重リンクにおいて、両ノードの送信機に、それぞれ独立した基準発振器を必要としない周波数ロックの実現方法が記載されている。全二重リンクにおいて、受信周波数の情報を利用して、送信機の搬送周波数を同調させることによって、リンクにおける両ノードの送信周波数を同時にロックする。第一の送信機の搬送周波数におけるオフセットは、対応する第二の受信機におけるオフセットとして検出される。第二の受信機は、検出したオフセットに応じて当該送信機の搬送周波数を偏移させ、第一の送信機に検出されたオフセットを知らせる。第一の受信機において検出されたオフセットによって、当該送信機の搬送周波数が補正される。
【特許文献３】特開２００１−２５１２１０号公報
【０００６】
特開２０００−２０６５１号公報（Ａ）には、リーダ／ライタが記載されている。そのリーダ／ライタは、シンセサイザ部を備えている。シンセサイザ部は、発生する搬送波の周波数を変更することができる搬送波発生手段を有する。シンセサイザ部で発生した搬送波を変調器により変調して、変調した搬送波を送信アンプおよびサーキュレータを介してアンテナから無線送信し、それによってＩＤタグとの間で情報を無線通信する。シンセサイザ部は、例えば、周波数を可変にして搬送波を発生する発振器、および発振器をループフィルタを介して制御することによりその発振器の発振周波数を外部からの入力に応じて変更する調整手段、および所定の周波数の信号を調整手段へ供給する水晶発振器で構成されている。複数のリーダ／ライタが隣接して設置されても、リーダ／ライタ間での搬送波の干渉が回避される。
【特許文献４】特開２０００−２０６５１号公報
【発明の開示】
【発明が解決しようとする課題】
【０００７】
リーダ／ライタ装置からのＩＤ要求に対してのみ応答する上述の改良型のアクティブＲＦ  ＩＤタグは、受信回路が必要であり、送信専用のアクティブＲＦ  ＩＤタグに比べて回路規模が大きく消費電力が大幅に増加する。
【０００８】
発明者たちは、リーダ／ライタ装置が或る周波数でＲＦ  ＩＤタグへ充分短い間隔で繰り返し送信しかつ別の周波数でＲＦ  ＩＤタグから連続的に受信可能な状態をとるよう構成すれば、ＲＦ  ＩＤタグの消費電力が大幅に減少してバッテリ稼動時間を長くすることができると認識した。発明者たちは、さらに、複数のリーダ／ライタ装置からのタグＩＤ要求が互いに干渉しないようにするために、１つのエリア内で単一のリーダ／ライタ装置だけが所定の周波数でＲＦ  ＩＤタグへ充分短い間隔で繰り返し送信し、同じエリア内の全てのリーダ／ライタ装置がＲＦ  ＩＤタグから連続的に受信可能な状態をとるよう構成すればよいと認識した。
【０００９】
本発明の目的は、複数のリーダ／ライタ装置の間での相互干渉を防止することである。
【００１０】
本発明の別の目的は、アクティブ型非接触情報記憶装置が複数のリーダ／ライタ装置からの送信信号のキャリア・センスをより確実に行うことができるようにすることである。
【課題を解決するための手段】
【００１１】
本発明の特徴によれば、非接触情報記憶装置内の情報にアクセスするための情報アクセス・システムは、ネットワーク上にあって所定の領域に設けられた所定の通信装置を介して前記ネットワークに接続可能な１つ以上の情報処理機器と、前記ネットワークを介して前記１つ以上の情報処理機器と通信するよう構成された管理情報処理装置と、を含んでいる。前記１つ以上の情報処理機器の各々は読取り書込み装置を具えている。前記読取り書込み装置は、非接触情報記憶装置に第１の周波数の情報要求ＲＦ信号を周期的に繰り返し送信する送信部と、非接触情報記憶装置から第２の周波数の応答ＲＦ信号をいつでも受信可能なように連続的な受信待ち状態をとるよう構成された受信部と、を有する。前記１つ以上の情報処理機器の各々は、前記所定の通信装置を介して前記ネットワークに接続されている期間に、前記情報要求ＲＦ信号の送信の許可を要求する要求信号を周期的に前記管理情報処理装置に送信する。前記管理情報処理装置は、前記１つ以上の情報処理機器の中の１つの情報処理機器から前記要求信号を受信したとき、前記１つ以上の情報処理機器の中に前記情報要求ＲＦ信号の送信を許可された別の情報処理機器が存在しない場合に、前記情報要求ＲＦ信号の送信の許可を表す応答信号を前記１つの情報処理機器に送信し、それによって任意の時点で前記１つ以上の情報処理機器の中の１つの情報処理機器だけが前記情報要求ＲＦ信号を送信するよう構成されている。
【００１２】
本発明は、さらに、上述の情報アクセス・システムに用いられる情報処理装置に関する。
【発明の効果】
【００１３】
本発明によれば、複数のリーダ／ライタ装置の間での相互干渉の可能性を低くすることができ、またアクティブ型非接触情報記憶装置はリーダ／ライタ装置からの送信信号のキャリア・センスをより確実に行うことができる。
【発明を実施するための最良の形態】
【００１４】
本発明の実施形態を、図面を参照して説明する。図面において、同様の構成要素には同じ参照番号が付されている。
【００１５】
図１は、従来の改良型のアクティブＲＦ  ＩＤタグを読み取るためのリーダ／ライタ装置（Ｒ／Ｗ）とＲＦ  ＩＤタグのタイムチャートを示している。リーダ／ライタ装置は、コマンド（ＣＭＤ）の送信とＲＦ  ＩＤからの受信を同じ周波数チャネルで時分割的に行う。リーダ／ライタ装置は、例えば２秒といった一定の周期で例えば１００ｍｓの持続時間でＩＤ要求コマンドを送信し、残りの時間は受信待ち状態となる。
【００１６】
１つのリーダ／ライタ装置によって複数のＲＦ  ＩＤタグに対応できるようにするために、各ＲＦ  ＩＤタグは、一般的には、リーダ／ライタ装置による１回のＩＤ要求に対して、衝突回避のためにリーダ／ライタ装置へ応答送信するタイミングをランダムにずらすように構成されている。各ＲＦ  ＩＤタグは、コマンド受信後の所定時間内のランダムに選択されたタイムスロットでリーダ／ライタ装置へ応答送信し、従って応答の衝突の確率が低減される。そのためにはリーダ／ライタ装置は受信待ちの持続時間を長くする必要がある。例えば、各ＲＦ  ＩＤタグからのランダムなタイミングにおける応答送信のための持続時間が０〜１．５秒程度の場合、リーダ／ライタ装置は１．５秒以上の受信待ち持続時間を確保する必要がある。従って、リーダ／ライタ装置の応答送信の周期が長くなる。ＲＦ  ＩＤタグは、リーダ／ライタ装置から送信された要求コマンドを検出するために、一定周期でキャリア・センスを行い、即ち受信ＲＦ信号の強度の検知を行い、キャリアを検知した時のみ受信処理および送信動作に移行するよう構成されている。リーダ／ライタ装置による送信の周期が２秒である場合、それを確実に検知するためには、キャリア・センス持続時間も少なくとも約２秒確保する必要がある。
【００１７】
通常、ＲＦ  ＩＤタグは、キャリア・センスから次のキャリア・センスまでの間の期間は、リーダ・ライタ装置の要求が未検出のときはパワーダウン・モードへ移行し、できるだけ消費電力を削減し、バッテリ稼動時間を長くする必要がある。しかし、キャリア・センス持続時間を少なくとも約２秒確保しようとすると、パワーダウン時間をほとんど確保できなくなり、消費電力の削減も困難である。
【００１８】
従って、図１のアクティブＲＦ  ＩＤタグは、リーダ／ライタ装置からの長い周期の要求コマンドに対して応答する必要があるので、キャリア・センス持続時間が長くなり、消費電力が多くなり、バッテリ稼動時間も短くなる。
【００１９】
図２は、さらに改良されたアクティブ型非接触情報記憶装置としてのアクティブＲＦ  ＩＤタグ２００とリーダ／ライタ装置３００の構成を示している。アクティブ型非接触情報記憶装置として、アクティブＲＦ  ＩＤタグ２００の代わりに、アクティブＲＦ  ＩＤタグ２００と同様の構成を有する非接触ＩＣカードを用いてもよい。
【００２０】
アクティブＲＦ  ＩＤタグ２００は、制御部２１０と、メモリ２１４と、メモリ２１４に格納されているタグＩＤ（ＩＤ＿ｔａｇ）等のデータを所定の符号化方式に従って符号化して符号化データを生成するデータ生成部２２０と、データ生成部２２０から受け取ったベースバンドの符号化データでキャリアを変調して、周波数ｆ2または相異なる周波数ｆ2i（ｎ＝１、２、．．．ｎ）のＲＦ信号を送信する送信部（ＴＸ）２３０と、周波数ｆ1のＲＦ信号を受信して復調してベースバンド符号化データを生成し、受信ＲＦ信号のキャリア強度を表すデータを生成する受信部（ＲＸ）２５０と、受信部２５０から受け取った符号化データを所定の符号化方式に従って復号して復号データを生成するデータ復号部２４０と、上述のキャリア強度を表すデータに基づいて受信ＲＦ信号のキャリアの有無を判定するキャリア判定部２４６と、予め設定された時間制御シーケンスでウェイクアップ信号を生成するウェイクアップ部２７０と、送信部２３０に結合された送信アンテナ（ＡＮＴ）２８２と、受信部２５０に結合された受信アンテナ（ＡＮＴ）２８４と、各構成要素２１０〜２７０に電力を供給するバッテリ２９０と、を具えている。周波数ｆ1およびｆ2は、例えばそれぞれ３００ＭＨｚおよび３０１ＭＨｚである。周波数ｆ2iは、例えば３０１ＭＨｚ、３０２ＭＨｚ、．．．．３０５ＭＨｚである。送信部（ＴＸ）２３０の送信出力は、例えば１ｍＷである。代替構成として、アンテナ２８２と２８４は１つのアンテナであってもよい。
【００２１】
制御部２１０は、送信タイムスロットをランダムに選択するための乱数を発生する乱数発生部２１１と、送信周波数ｆ2iを切り換える周波数切り換え部２１２と、送信タイミングを調整するためのタイミング調整部２１３とを含んでいる。
【００２２】
制御部２１０は、電源投入後は常に活動状態になっていて、メモリ２１４と、データ生成部２２０と、送信部２３０と、受信部２５０と、データ復号部２４０と、キャリア判定部２４６と、ウェイクアップ部２７０とに、それぞれメモリ制御信号ＣＴＲＬ＿Ｍ、データ生成制御信号ＣＴＲＬ＿ＥＮＣ、送信制御信号ＣＴＲＬ＿ＴＸ、受信制御信号ＣＴＲＬ＿ＲＸ、データ復号制御信号ＣＴＲＬ＿ＤＥＣ、キャリア判定制御信号ＣＴＲＬ＿ＣＳおよびウェイクアップ部制御信号を供給する。制御部２１０は、プログラムに従って動作するマイクロプロセッサまたはマイクロコンピュータであってもよい。
【００２３】
メモリ２１４は、ＲＦ  ＩＤタグ２００のタグＩＤ（ＩＤ＿ｔａｇ）、現在の時刻Ｔ、リーダ／ライタ装置３００によるアクセスの記録、ウェイクアップ部２７０の制御スケジュールおよび時間制御シーケンス、バッテリ２９０の現在の電力残量、キャリア・センスの周期Ｔｓ、受信処理持続時間、送信周期、送信持続時間、等の情報を格納している。これらの情報は、制御部２１０の制御の下で格納され、更新される。制御部２１０は、定期的にまたは周期的にバッテリ２９０の供給電圧Ｖｄの値を検知することによってその現在の電力残量Ｐを判定して、バッテリ２９０の電力残量Ｐを表す情報をメモリ２１４に格納する。
【００２４】
ウェイクアップ部２７０は、時間を測定し時刻を生成するタイマ２７４を含み、ＲＦ  ＩＤタグ２００の電源投入後は常に活動状態になっていて、タイマ２７４の時刻およびメモリ２１４から読み出した予め設定された制御スケジュールおよび時間制御シーケンスに従って例えば２秒といった所定のキャリア・センス周期Ｔｓでウェイクアップ信号（Wakeup）を制御部２１０に供給する。制御部２１０は、リーダ／ライタ装置３００から、制御スケジュールおよび時間制御シーケンスを修正または更新する命令と、現在の時刻Ｔと、制御スケジュールおよび時間制御シーケンスとを受信データとして受信したとき、メモリ２１４中の時刻Ｔ、制御スケジュールおよび時間制御シーケンスを修正し更新する。制御部２１０は、メモリ２１４中の時刻Ｔに基づいてタイマ２７４の時刻を修正し、タイマ２７４によって生成された現在の時刻Ｔをメモリ２１４に書き込み更新する。
【００２５】
データ生成部２２０は、メモリ２１４に格納されているタグＩＤ（ＩＤ＿ｔａｇ）等を含む所定のフォーマットのデータを生成して所定の符号化方式に従ってそれを符号化して送信部２３０に供給する。そのデータはバッテリ残量およびアクセス記録を含むことがある。データ復号部２４０は、受信した符号化データを所定の符号化方式に従って復号して復号データをデータ生成部２２０および制御部２１０に供給する。キャリア判定部２４６は、受信部２５０から受信ＲＦ信号キャリアの電力の強度を表すデータを受け取って受信キャリアの有無を判定してその判定結果を制御部２１０に供給する。
【００２６】
リーダ／ライタ装置３００は、ホスト・コンピュータ（図示せず）との間でデータを送受信する制御部３１０と、メモリ３１４と、制御部３１０から受け取ったコマンド（ＣＭＤ）等を含む所定のフォーマットのデータを生成して所定の符号化方式に従って符号化して符号化データを生成するデータ生成部３２０と、データ生成部３２０から受け取ったベースバンド符号化データでキャリアを変調して周波数ｆ1のＲＦ信号を送信する送信部（ＴＸ）３３０と、周波数ｆ2またはｆ21〜ｆ2nのＲＦ信号を受信するよう構成された受信部（ＲＸ）３５０と、受信部３５０から受け取った受信データを所定の符号化方式に従って復号してベースバンド符号化データを生成し、その生成した復号データを制御部３１０に供給するデータ復号部３４０と、時間を測定し時刻を生成するタイマ３７４と、送信部３３０に結合された送信アンテナ（ＡＮＴ）３８２と、受信部３５０に結合された受信アンテナ（ＡＮＴ）３８４と、を具えている。送信部（ＴＸ）３３０の送信出力は例えば１００ｍＷである。代替構成として、アンテナ３８２と３８４は１つのアンテナであってもよい。
【００２７】
制御部３１０は、ホスト・コンピュータからのタグＩＤまたはタグ情報の要求コマンド（以下、単にタグＩＤ要求コマンドという）等のコマンドを受け取ったとき、そのようなコマンドを含むデータをデータ生成部３２０に供給する。そのデータは、ＲＦ  ＩＤタグ２００の使用すべき送信周波数ｆ2またはｆ2i、基準の現在の時刻Ｔ、新しいまたは更新された制御スケジュールおよび時間制御シーケンス等を含んでいてもよい。そのようなコマンドには、現在の時刻Ｔとともにタイマ２７４の時刻を修正または更新するよう命令するコマンドが含まれていてもよい。そのようなコマンドには、新しいまたは更新された制御スケジュールまたは時間制御シーケンスとともにメモリ２１４に格納されているスケジュールまたはシーケンスを修正または更新するよう命令するコマンドが含まれていてもよい。
【００２８】
図３Ａは、リーダ／ライタ装置３００のコマンドを含むＲＦ信号の送信処理４２のタイミングを示している。図３Ｂは、リーダ／ライタ装置３００の受信待ち状態４６および受信ＲＦ信号の受信処理４８のタイミングを示している。図３Ｃは、アクティブＲＦ  ＩＤタグ２００のキャリア・センス５０および５２、受信ＲＦ信号の受信処理５４、および応答を含むＲＦ信号の送信処理５６のタイミングを示している。
【００２９】
図３Ａを参照すると、リーダ／ライタ装置３００のデータ生成部３２０は、制御部３１０から受け取ったＲＦ  ＩＤタグに対するタグＩＤ要求コマンドを含むデータを生成しそれを所定の符号化方式に従って符号化して、符号化データを生成する。送信部３３０は、送信処理４２の連続する各タイムスロットにおいて、そのコマンドを含むＲＦ信号を充分短い間隔で繰り返し送信する。
【００３０】
図３Ｃを参照すると、アクティブＲＦ  ＩＤタグ２００において、受信部２５０およびキャリア判定部２４６は、ウェイクアップ部２７４のウェイクアップ信号に従って例えば２秒といった一定の周期Ｔｓで例えば約１ｍｓ〜１０ｍｓの所定の持続時間で発生するキャリア・センス５０および５２のタイミングで制御部２１０によってイネーブル（活動化、enable）される。それによって、受信部２５０は受信待ち状態になり、キャリア判定部２４６は受信部２５０からの受信ＲＦ信号キャリア電力の強度を表すデータに従って受信キャリアの有無の判定を行う。ＲＦ  ＩＤタグ２００がリーダ／ライタ装置３００に接近していないときは、キャリア判定部２４６はキャリアを検知せず（ＮＤ）、キャリアが存在しないと判定する。キャリア・センス５０相互間の期間５１において、ＲＦ  ＩＤタグ２００は休止モードに入って、制御部２１０およびウェイクアップ部２７０だけがイネーブルまたはパワー・オン（付勢）されており、その他の構成要素２１４〜２５０はディセーブル（非活動化、disable）またはパワー・ダウン（消勢）されている。休止期間５１の時間長は、キャリア・センス期間５０の終了時点と次のキャリア・センス期間５０の開始時点との間の時間長より短くてもよい。
【００３１】
ＲＦ  ＩＤタグ２００がリーダ／ライタ装置３００に接近してＲＦ  ＩＤタグ２００の受信部２５０がＲＦ信号を受信したときに、キャリア・センス５２のタイミングでキャリア判定部２４６は、ＲＦ信号のキャリアを検知し（ＤＴ）、キャリアが存在すると判定する。そのキャリアが存在するという判定に応答して、受信部２５０およびデータ復号部２４０は直後の受信処理５４のタイミングで例えば１００ｍｓといった所定の持続時間においてイネーブルされ、受信部２５０はそのＲＦ信号を受信し復調してコマンドを含む符号化データを生成し、データ復号部２４０はそのデータを所定の符号化方式に従って復号しコマンドを取り出して制御部２１０に供給する。そのコマンドに応答して、制御部２１０は、所定期間内のランダムに選択された送信処理５６のタイミングで例えば１００ｍｓといった所定の持続時間において、データ生成部２２０および送信部２３０をイネーブルし、データ生成部２２０はメモリ２１４から取り出したタグＩＤ（ＩＤ＿ｔａｇ）およびその他の所要の情報を含むデータを生成して所定の符号化方式に従って符号化する。送信部２３０はそのタグＩＤを含む応答データでキャリアを変調してＲＦ信号を送信する。
【００３２】
図３Ｂを参照すると、リーダ／ライタ装置３００の受信部３５０は、常に受信待ち状態４６にあり、ＲＦ  ＩＤタグ２００が接近してＲＦ信号を受信したときに、受信処理４８のタイミングにおいて受信ＲＦ信号を復調して符号化データを生成し、データ復号部３５０は符号化データを所定の符号化方式に従って復号してタグＩＤを含む応答データを再生し、その再生されたタグＩＤを制御部３１０に供給する。制御部３１０は、そのタグＩＤをホスト・コンピュータに供給する。ホスト・コンピュータは、タグＩＤを処理して、商品の流通または人を監視し管理するのに用いる。
【００３３】
通常、リーダ／ライタ装置３００にＲＦ  ＩＤタグ２００が接近していない時間ははるかに長いので、アクティブＲＦ  ＩＤタグ２００は大部分の時間期間は休止モードになる。従って、アクティブＲＦ  ＩＤタグ２００の消費電力は大幅に低減され、バッテリ２９０の稼動時間は大幅に長くなる。
【００３４】
図４は、リーダ／ライタ装置３００によって実行される処理のフローチャートを示している。図５Ａおよび５Ｂは、アクティブＲＦ  ＩＤタグ２００によって実行される処理のフローチャートを示している。
【００３５】
図４を参照すると、ステップ４０２において、リーダ／ライタ装置３００の制御部３１０は、ホスト・コンピュータから受け取ったタグＩＤ要求があるかどうかを判定する。タグＩＤの要求があるまでステップ４０２は繰り返される。タグＩＤの要求があると判定された場合、手順は送信処理のステップ４１２および受信処理のステップ４２２に進む。
【００３６】
ステップ４１２において、制御部３１０はＩＤ要求コマンドおよび関連する情報をデータ生成部３２０に供給し、データ生成部３２０はＩＤ要求コマンドを含むデータを生成してその生成データを、例えばＮＲＺ（Non Return to Zero）符号化法またはマンチェスタ符号化法等の所定の符号化方式に従って符号化し、送信部３３０は、図３Ａの送信処理４２のタイミングでその符号化データでキャリアを変調して周波数ｆ1のＲＦ信号を送信する。制御部３１０は、ＩＤ要求コマンド中にそのＩＤ要求コマンドに対する応答の送信周波数ｆ2または可変送信周波数ｆ2iを指定するデータ、その可変送信周波数ｆ2iを使用すべき時刻またはタイムスロットを表すデータ、現在の時刻Ｔを表すデータ、制御スケジュールおよび時間制御シーケンスを含ませてもよい。
【００３７】
リーダ／ライタ装置３００はその周波数ｆ2iを時分割で複数の送信周期ｔRW-CYにおける複数コマンド毎に（例えば、少なくとも１つのキャリア・センス周期分の数の送信周期ｔRW-CYにおける複数コマンド毎に）変更するようにしてもよい。それによって、複数のＲＦ  ＩＤタグが同時に存在する場合でも、ＲＦ  ＩＤタグからの応答送信が衝突する確率が減り、リーダ／ライタ装置３００で同時に識別できるＲＦ  ＩＤタグの数を増大させることができる。
【００３８】
ステップ４１８において制御部２１０はデータ送信を終了すべきかどうかを判定する。終了すると判定された場合は、手順はこのルーチンを出る。データ送信を継続すると判定された場合は、手順はステップ４１２に戻る。図３Ａでは、データ送信は繰り返し継続される。
【００３９】
図５Ａを参照すると、ステップ５０２において、ＲＦ  ＩＤタグ２００が起動されたとき、制御部２１０およびウェイクアップ部２７０がイネーブルされる。ＲＦ  ＩＤタグ２００がいったん起動されると、制御部２１０およびウェイクアップ部２７０は常にイネーブルされて活動状態にある。ウェイクアップ部２７０は、タイマ２７４および時間制御シーケンスに従って、所定の周期Ｔｓで受信ＲＦ信号のキャリア・センスを行うタイミングを表すウェイクアップ信号を制御部２１０に供給する。ステップ５０４において、制御部２１０は、ウェイクアップ部２７０から受け取ったウェイクアップ信号がオン状態（ＯＮ）を示しているかどうかを判定する。制御部２１０は、ウェイクアップ信号がオン状態になるまでステップ５０４を繰り返す。
【００４０】
ステップ５０４においてウェイクアップ信号がオン状態（ＯＮ）を示していると判定された場合、ステップ５０６において、制御部２１０は、例えば約１ｍｓ〜１０ｍｓのような短い持続時間の期間だけ受信部２５０およびキャリア判定部２４６をイネーブルする。受信部２５０はＲＦ信号の受信待ち状態となり、キャリア判定部２４６は受信部２５０から受け取った受信キャリア電力を表すデータに基づいて受信ＲＦ信号のキャリアの存在を判定して、その判定結果を制御部２１０に供給する。ステップ５０８において、制御部２１０は、その判定結果に従ってキャリアが検知されたかどうかを判定する。キャリアが検知されなかったと判定された場合は、ステップ５０９において制御部２１０は受信部２５０およびキャリア判定部２４６をディセーブル（非可動化）する。その後、手順はステップ５３０に進む。
【００４１】
ステップ５０８においてキャリアが検知されたと判定された場合は、ステップ５１０において、制御部２１０は、キャリア判定部２４６をディセーブルし、さらに例えば１００ｍｓ〜２００ｍｓといった所定の持続時間において受信部２５０をイネーブルしたまま、リーダ／ライタ装置３００からコマンドを含む周波数ｆ1のＲＦ信号を受信して（図３Ｃ、受信５４）、受信ＲＦ信号を復調する。ステップ５１２において、制御部２１０は、受信部２５０によるＲＦ信号の受信が完了したかどうかを判定する。ステップ５１２はＲＦ信号の受信が完了するまで繰り返される。
【００４２】
ステップ５１２においてＲＦ信号の受信が完了したと判定された場合は、ステップ５１４において、制御部２１０はデータ復号部２４０をイネーブルし、データ復号部２４０は制御部２１０の制御の下で受信部２５０から受信データを受け取ってそれを所定の符号化方式に従って復号する。ステップ５１５において、制御部２１０は受信部２５０をディセーブルする。
【００４３】
図５Ｂを参照すると、ステップ５２２において、制御部２１０は、データ復号部２４０からＩＤ要求コマンドを含む復号データを受け取り、復号データに含まれている受信コマンドを処理し、リーダ／ライタ装置３００によるアクセスの記録をメモリ２１４に格納する。受信データ中に時刻修正コマンドおよび現在の時刻Ｔが含まれていた場合は、制御部２１０は、ウェイクアップ部２７０のタイマ２７４の時刻をその時刻Ｔに修正または更新する。
【００４４】
ステップ５２４において、制御部２１０は復号部２４０をディセーブルし、そのＩＤ要求コマンドに従って、所定の期間（例えば５００ｍｓ）内の所定数のタイムスロット（例えば１００ｍｓの幅の５つのタイムスロット）の中の乱数に従って選択された１つのタイムスロットにおいてデータ生成部２２０および送信部２３０をイネーブルする。その乱数は、乱数発生部２１１によって発生される。その選択されたタイムスロットが図３Ｃの送信処理５６のタイミングである。データ生成部２２０は、メモリ２１４から読み出したＲＦ  ＩＤタグ２００のタグＩＤ（ＩＤ＿ｔａｇ）を含むデータを所定の符号化方式に従って符号化して送信部２３０に供給する。送信部２３０は、タグＩＤを含むデータでキャリアを変調して、所定のまたは指定された周波数ｆ2またはｆ2iのＲＦ信号をアンテナ２８４を介して送信する。周波数ｆ2iの切り換えは、制御部２１０の周波数切り換え部２１２によって行われる。タイミング調整部２１３は、複数のタイムスロットの周期を所定周期になるように調整する。
【００４５】
ステップ５２９において、制御部２１０は、データ生成部２２０および送信部２３０をディセーブルする。ステップ５３０において、制御部２１０は、ＲＦ  ＩＤタグ２００を休止モードにする。休止モードにおいて、基本的に制御部２１０およびウェイクアップ部２７０だけがイネーブルされた状態を維持し、その他の構成要素２１４〜２５０はディセーブルされた状態になる。
【００４６】
再び図４を参照すると、ステップ４２２において、制御部３１０は受信部３５０をイネーブルして受信待ち状態にする。受信部３５０は周波数ｆ2のＲＦ信号の受信を待って（受信待ち４６）、ＲＦ信号を受信する（受信処理４８）。ステップ４２４において、制御部３１０は受信部３５０がＲＦ信号の受信を完了したかどうかを判定する。受信が完了するまでステップ４２４は繰り返される。受信が完了したと判定された場合は、ステップ４２６において、受信部３５０は受信データをデータ復号部３４０に供給する。データ復号部３４０は受信データを所定の符号化方式に従って復号して応答データを再生し、データを受信したことおよびその応答データを制御部３１０に供給する。
【００４７】
ステップ４３２において、制御部３１０はその復号データをホスト・コンピュータに送出する。ステップ４３６において制御部３１０はデータ受信待ちを終了するかどうかを判定する。終了すると判定された場合は、手順はこのルーチンを出る。データ受信待ちを継続すると判定された場合は、手順はステップ４２２に戻る。図３Ｂでは、データ受信待ちは繰り返し継続される。
【００４８】
このように、リーダ／ライタ装置３００は送信を充分短い間隔で繰り返し行い常に受信待ち状態にあるので、ＲＦ  ＩＤタグ２００のキャリア・センス時間を大幅に減らすことができる。例えば入出管理などにおけるように１日に数回しか送受信を行わず、動作時間のほとんどがキャリア・センスである場合は、ＲＦ  ＩＤタグ２００全体の消費電力は、全体の消費電力を大幅に削減できる。
【００４９】
メモリ２１４に格納される制御スケジュールとして、休日および平日の夜間（例えば、６：００ｐｍ〜６：００ａｍ）の所定の時刻と所定の時刻の間の時間期間を指定し、平日の昼間（例えば、６：００ａｍ〜６：００ｐｍ）の所定の時刻と所定の時刻の間の時間期間を指定してもよい。この場合、ウェイクアップ部２７０は、その休日および夜間においてウェイクアップ信号を発生せず、従ってＲＦ  ＩＤタグ２００は休止モードになってキャリア・センスを全く行わず、一方、その平日の昼間において所定の周期（例えば１秒）で、キャリア・センスを行う。
【００５０】
ウェイクアップ部２７０は、制御部２１０の制御の下で、メモリ２１４に格納されたバッテリ２９０の電力の残量Ｐに従ってウェイクアップ信号を発生させてもよい。この場合、バッテリ残量が充分であるときは、比較的短い周期で（例えば１秒）キャリア・センスを行い、残量Ｐが閾値Ｐｔｈより低くなったときは、比較的長い周期で（例えば２秒）キャリア・センスを行うようにしてもよい。ＲＦ  ＩＤタグ２００の応答データ中にバッテリ残量を含ませ、リーダ／ライタ装置３００経由でホスト・コンピュータへ通知し、ホスト・コンピュータによってユーザに対するバッテリ切れの警告を表示するよう構成してもよい。
【００５１】
上述のようにリーダ／ライタ装置によるアクセスの記録をメモリ２１４に格納するようにしたことによって、リーダ／ライタ３００以外の別のリーダ／ライタによって不正にアクセスされた場合にも、ログが記録されるので、リーダ／ライタ３００によってそのアクセス記録を読み取り、ホスト・コンピュータによって解析することによって不正なアクセスを発見することができる。
【００５２】
図６は、図２の構成を変形したより安全なアクティブＲＦ  ＩＤタグ２０２とリーダ／ライタ装置３０２の構成を示している。この実施形態においては、ＲＦ  ＩＤタグ２０２とリーダ／ライタ装置３０２の間で送信データは暗号化され、受信データは暗号解読されて認証に用いられる。
【００５３】
ＲＦ  ＩＤタグ２０２は、図２のＲＦ  ＩＤタグ２００におけるデータ生成部２２０の代わりにデータ生成部２２２を具え、図２のデータ復号部２４０の代わりにデータ復号部２４２を具えている。ＲＦ  ＩＤタグ２０２のメモリ２１４は、タグＩＤ（ＩＤ＿ｔａｇ）に加えて、認証用の現在の時刻Ｔ、認証用のシステムＩＤ（ＩＤ＿ｓｙｓｔｅｍ）および暗号鍵／復号鍵Ｋｅを格納しており、データ生成部２２２およびデータ復号部２４２にそれらの情報を供給する。その認証用の現在の時刻Ｔ、認証用のシステムＩＤおよび暗号鍵／復号鍵Ｋｅは、リーダ／ライタ装置３０２によって予めＲＦ  ＩＤタグ２０２に送信され、制御部２１０によってメモリ２１４に予め書き込まれる。データ生成部２２２は、メモリ２１４に格納されている暗号鍵Ｋｅを用いて所定の暗号方式に従って送信データを暗号化する暗号化部２２４を含んでいる。データ復号部２４２は、受信データを所定の暗号方式に従って暗号鍵／復号鍵Ｋｅを用いて解読する解読部２４４を含んでいる。ＲＦ  ＩＤタグ２０２のその他の構成はＲＦ  ＩＤタグ２００と同様であり、再び説明することはしない。システムＩＤは、リーダ／ライタ装置３０２とＲＦ  ＩＤタグ２０２等の複数のＲＦ  ＩＤタグで構成される同じグループによって共有される共通のＩＤを表している。ここでは、所定の暗号方式を共通鍵暗号方式として説明するが、公開鍵暗号方式であってもよい。
【００５４】
リーダ／ライタ装置３０２は、図２のリーダ／ライタ装置３００におけるデータ生成部３２０の代わりにデータ生成部３２２を具え、図２のデータ復号部３４０の代わりにデータ復号部３４２を具えている。リーダ／ライタ装置３０２のメモリ３１４は、認証用の現在の時刻Ｔ、認証用のシステムＩＤ（ＩＤ＿ｓｙｓｔｅｍ）および暗号鍵／復号鍵Ｋｅを格納している。データ生成部３２４は、メモリ３１４に格納されている所定の暗号方式に従って暗号鍵Ｋｅを用いて送信データを暗号化する暗号化部３２２を含んでいる。データ復号部３４２は、所定の暗号方式に従って暗号鍵／復号鍵Ｋｅを用いて受信データを解読する解読部３４４を含んでいる。リーダ／ライタ装置３０２のその他の構成はリーダ／ライタ装置３００と同様であり、再び説明することはしない。
【００５５】
図７Ａは、リーダ／ライタ装置３０２のＩＤ要求コマンド（ＣＭＤ）を含むＲＦ信号の送信処理４２のタイミングを示している。図７Ｂは、リーダ／ライタ装置３０２の受信待ち状態４６および受信ＲＦ信号の受信処理４８のタイミングを示している。図７Ｃは、アクティブＲＦ  ＩＤタグ２０２のキャリア・センス５０、５２および５３、受信ＲＦ信号の受信処理５４および５５、および認証成功の場合における応答を含むＲＦ信号の送信処理５６のタイミングを示している。
【００５６】
図７Ａを参照すると、リーダ／ライタ装置３０２のデータ生成部３２２は、制御部３１０から受け取ったＲＦ  ＩＤタグに対するタグＩＤ要求コマンドを含むデータを生成しそれを所定の符号化方式に従って符号化して、符号化された暗号データを生成する。リーダ／ライタ装置３０２のその他の送信の動作は図３Ａの場合と同様である。
【００５７】
図７Ｃを参照すると、アクティブＲＦ  ＩＤタグ２０２において、受信部２５０およびキャリア判定部２４６の動作は、図３Ｃの場合と同様であり、受信部２５０およびキャリア判定部２４６は、ウェイクアップ部２７４のウェイクアップ信号に従って一定の周期で所定の持続時間で発生するキャリア・センス５０、５２および５３のタイミングで制御部２１０によってイネーブルされて、受信部２５０は受信待ち受け状態になる。
【００５８】
キャリア判定部２４６によるキャリアが存在するという判定（ＤＴ）に応答して、受信部２５０およびデータ復号部２４２は直後の受信処理５４および５５のタイミングで所定の持続時間においてイネーブルされ、受信部２５０はそのＲＦ信号を受信し復調してコマンドを含む符号化された暗号データを生成し、データ復号部２４２はそのデータを所定の符号化方式に従って復号し暗号データを所定の暗号方式に従って暗号鍵／復号鍵Ｋｅを用いて解読してコマンドを取り出して制御部２１０に供給する。そのコマンドに応答して、制御部２１０は、そのコマンドに含まれている時刻ＴおよびシステムＩＤを用いてリーダ／ライタ装置３０２を認証する。
【００５９】
認証が成功した場合は、所定期間内のランダムに選択された送信処理５６のタイミングで所定の持続時間において、データ生成部２２２および送信部２３０をイネーブルし、データ生成部２２２は、メモリ２１４から取り出したタグＩＤ（ＩＤ＿ｔａｇ）、時刻ＴおよびシステムＩＤ（ＩＤ＿ｓｙｓｔｅｍ）を含むデータを、所定の暗号方式に従って暗号鍵Ｋｅを用いて暗号化し、その暗号データを所定の符号化方式に従って符号化する。送信部２３０はその暗号化されたタグＩＤを含む応答データでキャリアを変調してＲＦ信号を送信する。認証が失敗した場合は、データを生成および送信することなく処理を終了する。
【００６０】
図７Ｂを参照すると、リーダ／ライタ装置３０２の受信部３５０は、常に受信待ち状態４６にあり、ＲＦ  ＩＤタグ２０２が接近してＲＦ信号を受信したときに、受信処理４８のタイミングにおいて受信ＲＦ信号を復調して符号化された暗号データを生成し、データ復号部３４２は符号化された暗号データを所定の符号化方式に従って復号し、その復号された暗号データを、所定の暗号方式に従って暗号鍵／復号鍵Ｋｅを用いて解読してタグＩＤを含む応答データを再生し、その再生された応答を制御部３１０に供給する。その受信再生された応答に応答して、制御部３１０は、その応答に含まれている時刻ＴおよびシステムＩＤを用いてＲＦ  ＩＤタグ２０２を認証し、そのタグＩＤをホスト・コンピュータに供給する。
【００６１】
このように、通常、リーダ／ライタ装置３０２およびＲＦ  ＩＤタグ２０２が送信データを暗号化し、時刻ＴおよびシステムＩＤを用いて相互認証を行うことによって、リーダ／ライタ装置３０２およびＲＦ  ＩＤタグ２０２によって送信されるデータが、第三者に傍受されても、そのデータを不正に使用される危険性がなくなる。従って、リーダ／ライタ装置３０２およびＲＦ  ＩＤタグ２０２の安全性が高くなる。
【００６２】
図８は、リーダ／ライタ装置３０２によって実行される処理のフローチャートを示している。図９Ａおよび９Ｂは、アクティブＲＦ  ＩＤタグ２０２によって実行される処理のフローチャートを示している。
【００６３】
図８を参照すると、ステップ４０２は図４のものと同じであり、再び説明することはしない。ステップ４１４において、制御部３１０はＩＤ要求コマンドをデータ生成部３２２に供給する。データ生成部３２２は、制御部３１０から受け取ったＩＤ要求コマンド、およびメモリ３１４から取り出した現在の時刻ＴおよびシステムＩＤ（ＩＤ＿ｓｙｓｔｅｍ）を含むデータを、例えばＤＥＳ（Data Description Standard）、トリプルＤＥＳまたはＡＥＳ（Advanced Encryption Standard）等の所定の暗号方式に従って、メモリ３１４から取り出した暗号鍵Ｋｅを用いて暗号化し、その暗号化データを符号化して符号化データを生成する。送信部３３２は、その暗号化データでキャリアを変調して周波数ｆ1のＲＦ信号を送信する（図７Ａ、送信処理４２）。ステップ４１８は図４と同じであり、再び説明することはしない。
【００６４】
図９Ａを参照すると、ステップ５０２〜５１５は図５のものと同様であり、再び説明することはしない。
【００６５】
図９Ｂを参照すると、ステップ５１６において、制御部２１０の制御の下で、データ復号部２４２は、メモリ２１４から取り出した暗号鍵／復号鍵Ｋｅを用いて復号データを所定の暗号方式に従って解読し、解読されたコマンド、タグＩＤ（ＩＤ＿ｔａｇ）、時刻Ｔ、システムＩＤ（ＩＤ＿ｓｙｓｔｅｍ）を含むデータを制御部２１０に供給する。そのデータは、制御スケジュールおよび時間制御シーケンスを含んでいてもよい。制御部２１０は、そのデータを受け取った後、暗号解読された時刻ＴおよびシステムＩＤとメモリ２１４に格納されている時刻ＴおよびシステムＩＤとを比較することによって、両者が一致するかどうかを判定し、それによってリーダ／ライタ装置３０２の認証を行う。
【００６６】
ステップ５１８において、制御部２１０は認証が成功したかどうかを判定する。認証が失敗したと判定された場合は、ステップ５２０において、制御部２１０はデータ復号部２４２をディセーブルする。その後、手順は図９Ｂのステップ５３０に進む。
【００６７】
ステップ５１８において認証が成功したと判定された場合は、ステップ５２２において、制御部２１０は、データ復号部２４２からＩＤ要求コマンドを含む暗号解読されたデータを受け取り、その解読データに含まれている解読された受信コマンドを処理し、リーダ／ライタ装置３０２によるアクセス記録をメモリ２１４に格納する。
【００６８】
ステップ５２６において、制御部２１０は、そのＩＤ要求コマンドに従って、所定の期間内の所定数のタイムスロットの中の乱数に従ってランダムに選択された１つのタイムスロットにおいてデータ生成部２２２および送信部２３０をイネーブルする。その選択されたタイムスロットが図７Ｃの送信処理５６のタイミングである。データ生成部２２２は、メモリ２１４から読み出したＲＦ  ＩＤタグ２０２のタグＩＤ（ＩＤ＿ｔａｇ）、時刻ＴおよびシステムＩＤ（ＩＤ＿ｓｙｓｔｅｍ）を含むデータを、所定の暗号方式に従って暗号鍵Ｋｅを用いて暗号化し、その暗号データを所定の符号化方式に従って符号化して送信部２３０に供給する。送信部２３０は、その符号化暗号データでキャリアを変調して、周波数ｆ2のＲＦ信号をアンテナ２８４を介して送信する（図７Ｃ、送信５６）。ステップ５２８および５３０は、図５のものと同様であり、再び説明することはしない。
【００６９】
再び図８を参照すると、ステップ４２２〜４２４は図４のものと同様であり、再び説明することはしない。ステップ４２８において、受信部３５０は受信データをデータ復号部３４２に供給する。データ復号部３４２は受信データを所定の符号化方式に従って復号し、その復号データを所定の暗号方式に従って暗号解読して、そのデータを受信したことおよびその解読データを制御部３１０に供給する。制御部３１０は、暗号解読された時刻ＴおよびシステムＩＤとメモリ３１４に格納されている時刻ＴおよびシステムＩＤとを比較することによって、一致するかどうかを判定し、それによってＲＦ  ＩＤタグ２０２の認証を行う。ＲＦ  ＩＤタグ２０２の制御部２１０およびリーダ／ライタ装置３０２の制御部３１０において、受信した時刻Ｔと格納されていた時刻Ｔとの間に所定の範囲内の誤差（例えば±０．５秒）があった場合にも、両者は一致すると判定してもよい。
【００７０】
ステップ４３０において、制御部３１０は認証が成功したかどうかを判定する。認証が失敗したと判定された場合は、手順はステップ４２２に戻る。認証が成功したと判定された場合は、手順はステップ４３２に進む。ステップ４３６は、図４のものと同様であり、再び説明することはしない。
【００７１】
図１０は、異なる位置に配置された同じ構成の複数のリーダ／ライタ装置３０１、３０２および３０３の破線で示されたそれぞれの通信可能範囲に位置するアクティブＲＦ  ＩＤタグ２０２を示している。複数のリーダ／ライタ装置は、より広い範囲にあるＲＦ  ＩＤタグを検出するために用いられる。ＲＦ  ＩＤタグ２０２がリーダ／ライタ装置３０１、３０２および３０３の通信可能範囲の重複領域に位置する場合、ＲＦ  ＩＤタグ２０２によって受信されるリーダ／ライタ装置３０１、３０２および３０３からのＩＤ要求信号の周波数ｆ1が同じであれば、それらのＩＤ要求信号が互いに干渉するので、ＲＦ  ＩＤタグ２０２はそれらのＩＤ要求信号を正常に受信できず、従って、ＲＦ  ＩＤタグ２０２は応答信号を送信できない。
【００７２】
発明者たちは、１つのエリア内で単一のリーダ／ライタ装置だけが所定の周波数でＲＦ  ＩＤタグへ充分短い間隔で繰り返し送信し、同じエリア内の全てのリーダ／ライタ装置がＲＦ  ＩＤタグから連続的に受信可能な状態をとるよう構成すれば、ＩＤ要求信号が互いに干渉するのを防止できると、認識した。
【００７３】
図１１は、本発明の実施形態による、中継通信装置である無線ルータ８００および８０２によってカバーされるエリアＡにおける複数の情報処理機器６００、６０２、６０４、６１０および６１２と、無線ルータ８１０によってカバーされるエリアＢにおける複数の情報処理機器６１２、６２２および６２４とを示している。情報処理機器６００〜６１２、６２２および６２４は、図６のリーダ／ライタ装置３０２の構成を有するリーダ／ライタ装置（Ｒ／Ｗ）を含んでいる。無線ルータ８００〜８１０と情報処理機器６００〜６２２の間の通信は、例えば周波数２．４ＧＨｚ帯域のＩＥＥＥ８０２．１１の規格に従うものであればよい。無線ルータ８００〜８１０と管理サーバ７００は有線ローカル・エリア・ネットワーク（ＬＡＮ）４０に接続されている。
【００７４】
管理サーバ７００は、プロセッサ７０２、記憶装置７０４、およびＬＡＮ４０に接続されたネットワーク・インタフェース（ＮＷ  Ｉ／Ｆ）７１０を具えている。情報処理機器６００〜６１２、６２２および６２４は、人によって携帯されてエリアＡおよびエリアＢを出入りする移動性のものである。１つ以上のＲＦ  ＩＤタグ２０２は、エリアＡおよびエリアＢ内の各位置に固定されていても、エリアＡおよびエリアＢを出入りする移動性のものであってもよい。
【００７５】
図１１において、情報処理機器６１２は、最初、エリアＡにおいて無線ルータ８０２およびＬＡＮ４０を介して管理サーバ７００と交信し、管理サーバ７００によってタグＩＤ要求コマンドを搬送するＲＦ信号を送信するコマンド送信局として指定され、タグＩＤ要求コマンドを搬送する周波数ｆ1のＲＦ信号を送信し続ける。その間、エリアＡにおける他の情報処理機器６１０〜６２０はそのような周波数ｆ1のＲＦ信号を送信しない。情報処理機器６２２は、エリアＢにおいて無線ルータ８１０を介して管理サーバ７００と交信し、管理サーバ７００によってコマンド送信局として指定され、タグＩＤ要求コマンドを搬送する周波数ｆ1のＲＦ信号を送信し続ける。情報処理機器６００〜６１２、６２２および６２４は、常にそれぞれの通信範囲内にあるＲＦ  ＩＤタグ２０２からの応答を搬送するＲＦ信号を受信できる状態（受信準備完了状態）にある。
【００７６】
その後、コマンド送信局であった情報処理機器６１２がエリアＡを出ると、別の情報処理機器６００がエリアＡにおいて無線ルータ８００およびＬＡＮ４０を介して管理サーバ７００と交信したとき、情報処理機器６００は、管理サーバ７００によってコマンド送信局として指定され、タグＩＤ要求コマンドを搬送する周波数ｆ1のＲＦ信号を送信し始める。その後、情報処理機器６１２はエリアＢに入る。エリアＢでは、情報処理機器６２２がエリアＢを出ない限り、情報処理機器６２２がコマンド送信局であり続ける。
【００７７】
図１２は、本発明の別の実施形態による、有線ルータ８００’および８０２’に有線ＬＡＮを介して接続されたエリアＡにおける複数の情報処理機器６００、６０２、６０４、６１０および６１２と、有線ルータ８１０’に有線ＬＡＮを介して接続されたエリアＢにおける複数の情報処理機器６１２、６２２および６２４とを示している。この場合、情報処理機器６００〜６１２、６２２および６２４は、人によって携帯されてエリアＡおよびエリアＢを出入りし、手動で有線ルータ８００’、８０２’および８８１０’の有線ＬＡＮのハブに接続されたりそのハブから切り離されたりする。図１２のその他の構成は、図１１の場合と同様である。
【００７８】
情報処理機器６１２は、最初、エリアＡにおいて有線ルータ８０２’を介して管理サーバ７００と交信し、管理サーバ７００によってタグＩＤ要求コマンドを搬送するＲＦ信号を送信する機器として指定され、タグＩＤ要求コマンドを搬送する周波数ｆ1のＲＦ信号を送信し続ける。その後、情報処理機器３１２はエリアＡにおける有線ルータ８０２’の有線ＬＡＮとの接続を外して、エリアＡからエリアＢに移動し、エリアＢにおけるルータ８１０’の有線ＬＡＮと接続する。次いで、情報処理機器６００が、エリアＡにおいて有線ルータ８０２’を介して管理サーバ７００と交信し、管理サーバ７００によってコマンド送信局して指定され、タグＩＤ要求コマンドを搬送する周波数ｆ1のＲＦ信号を送信し始める。図１２のリーダ／ライタ装置６００〜６１２、６２２および６２４のその他の動作は、図１１の場合と同様である。
【００７９】
図１３は、図１１および１２の移動局である情報処理機器６１２の構成を示している。情報処理機器６１２は、図６のリーダ／ライタ装置３０２および無線ＬＡＮモジュール６８を含んでいる。情報処理機器６１２は、さらに、プロセッサ６０、管理制御部６２、問合せ部６４およびネットワーク・インタフェース（ＮＷ  Ｉ／Ｆ）６６を含んでいる。問合せ部６４は、送信要求部６４２および応答受信部６４４を含んでいる。管理制御部６２および問合せ部６２は、集積回路のようなハードウェアの形態で実装されていても、メモリ６１に格納されたプログラムに従ってプロセッサ６０上に実装されてもよい。
【００８０】
無線ＬＡＮモジュール６８は、ネットワーク・インタフェース６６に接続されたインタフェース部６６０、ベースバンド部６７０、および無線ルータ８００と無線通信する無線送受信部６８０を含んでいる。
【００８１】
リーダ／ライタ装置３０２は図６の構成を有し、その送信部３３０は変調部３３２および電力増幅部３３４を含み、その受信部３５０は検波部３５２および復調部３５４を含んでいる。その制御部３１０は、管理制御部６２に接続されている。
【００８２】
問合せ部６２における送信要求部６４２は、ＬＡＮ４０との間の接続および切断を検知し、ＬＡＮ４０に接続されている間に周期的にネットワーク・インタフェース６６を介してタグＩＤ要求コマンド送信の許可を要求する問い合わせを管理サーバ７００に送信する。ＬＡＮ４０との間の接続状態および切断状態を表す信号は、管理制御部６２にも供給される。問合せ部６４における応答受信部６４４は、タグＩＤ要求コマンド送信の許可を要求する問い合わせに対する応答を管理サーバ７００から受信する。不許可の応答を受信した場合および応答を受信しない場合は、応答受信部６４４は、タグＩＤ要求コマンド送信の不許可を表す信号を管理制御部６２に供給する。管理制御部６２は、ネットワーク接続の切断の検知およびタグＩＤ要求コマンド送信の不許可の受信に応答して、タグＩＤ要求コマンドを搬送するＲＦ信号の送信の不許可をリーダ／ライタ装置３０２に送信する。管理制御部６２は、ネットワーク接続状態およびタグＩＤ要求コマンド送信の許可の受信に応答して、タグＩＤ要求コマンドを搬送するＲＦ信号の送信の許可をリーダ／ライタ装置３０２に送信する。
【００８３】
図１４Ａ、１４Ｂおよび１４Ｃは、管理サーバ７００が保持している管理リストの例を示している。管理リストは、管理サーバ７００の記憶装置７０４に格納されており、エリア、ルータ、コマンド送信局および通信状態にある情報処理機器のフィールドで構成されており、それぞれエリアの識別情報（例えば、エリアＸ）、エリアにおけるルータの識別情報（例えば、ＸＸＸＸ）、エリアにおけるコマンド送信局としての情報処理機器の識別情報（例えば、００００）、およびエリアにおける現在ＬＡＮ４０上で通信状態または接続状態にある情報処理機器の識別情報を含んでいる。
【００８４】
図１４Ａは、図１１において、情報処理機器６１２がエリアＡ内に位置して情報処理機器６００がタグＩＤ要求コマンドを搬送するＲＦ信号を送信する場合の管理リストの例を示している。図１４Ａの管理リストにおいて、エリアＡにおけるコマンド送信局として情報処理機器６１２が指定され、エリアＢにおけるコマンド送信局として情報処理機器６２２が指定されている。従って、エリアＡにおいて、情報処理機器６１２のリーダ／ライタ装置３０２がタグＩＤ要求コマンドを搬送する周波数ｆ1のＲＦ信号を送信している。エリアＢにおいて、情報処理機器６２２がタグＩＤ要求コマンドを搬送する周波数ｆ1のＲＦ信号を充分短い間隔で繰り返し送信している。このように１つのエリアにおいて１つの情報処理機器だけが１つのコマンド送信局として指定される。
【００８５】
図１４Ｂは、図１１において、情報処理機器６１２がエリアＡからエリアＢに移動して、エリアＡにおいて別の情報処理機器６００がタグＩＤ要求コマンドを搬送する周波数ｆ1のＲＦ信号を送信する場合の管理リストの例を示している。図１４Ｂの管理リストにおいて、エリアＡにおけるコマンド送信局として情報処理機器６００が新たに指定され、エリアＢにおけるコマンド送信局として情報処理機器６２２が指定されている。
【００８６】
図１４Ｃは、図１１において、情報処理機器６２２がエリアＢから出て、エリアＢにおいて情報処理機器６１２がタグＩＤ要求コマンドを搬送する周波数ｆ1のＲＦ信号を送信する場合の管理リストの例を示している。図１４Ｃの管理リストにおいて、エリアＡにおけるコマンド送信局として情報処理機器６００が指定され、エリアＢにおけるコマンド送信局として情報処理機器６１２が新たに指定されている。
【００８７】
図１５Ａ、１５Ｂ、１５Ｃ、１５Ｄ、１５Ｅおよび１５Ｆは、それぞれ、無線ルータ１０２または有線ルータ１０２’を介した情報処理機器６１２のネットワーク上の管理サーバ７００との接続状態または切断状態、ネットワーク接続の検知、情報処理機器６１２によるコマンド送信許可を要求する信号の送信、情報処理機器６１２によるタグＩＤ要求コマンド送信の許可または不許可を表す応答信号の受信、情報処理機器６１２における管理制御部６２からのリーダ／ライタ装置３０２に対するタグＩＤ要求コマンド送信の許可または不許可の供給、リーダ／ライタ装置３０２の送信部３３０のタグＩＤ要求コマンドの送信のタイムチャートの例を示している。
【００８８】
図１５Ａの左側の最初の部分において、情報処理機器６１２は、エリアＡにおいて無線ルータ８０２を介してＬＡＮ４０に接続され、即ち管理サーバ７００に接続されている。リーダ／ライタ装置３０２は、図１５Ｆに示されているようにタグＩＤ要求コマンドを搬送する周波数ｆ1のＲＦ信号を送信している。送信情報処理機器６１２の送信要求部６４２は、情報処理機器６１２（ネットワーク・インタフェース６６）がネットワーク接続状態であることを検知し、ＬＡＮ４０との接続状態にある期間中に周期的に（例えば０．５秒の周期で）管理サーバ７００にタグＩＤ要求コマンド送信許可の要求を送信する。
【００８９】
それに応答して、管理サーバ７００は、タグＩＤ要求コマンド送信の許可または不許可（この場合、許可）を情報処理機器６１２に送信する。情報処理機器６１２の応答受信部６６４は、そのタグＩＤ要求コマンド送信の許可または不許可（この場合、許可）を受信する。その許可に応答して、応答受信部６４４は、タグＩＤ要求コマンド送信の許可を管理制御部６２に供給する。その許可に応答して、管理制御部６２は、図１５Ｅに示されているようにタグＩＤ要求コマンド送信の許可コマンドをリーダ／ライタ装置３０２に供給し続ける。管理制御部６２からの許可コマンドに応答して、リーダ／ライタ装置３０２は、図１５Ｆに示されているようにタグＩＤ要求コマンドを搬送する周波数ｆ1のＲＦ信号を送信し続ける。情報処理機器６１２等と管理サーバ７００の間での要求および応答のやりとりは、周知の形態で互いに、送信アドレス、宛先アドレス、送信側ＩＤおよび受信側ＩＤを付加して行われる。
【００９０】
情報処理機器６１２がエリアＡを出ると、図１５Ａの中央に示されているように、情報処理機器６１２（ネットワーク・インタフェース６６）はネットワーク切断状態に移行する。管理制御部６２は、図１５Ｂに示されているように、ネットワーク接続が切断されたことを検知し、図１５Ｄに示されているように、リーダ／ライタ装置３０２に対するタグＩＤ要求コマンド送信の許可コマンドの供給を停止する。送信要求部６４２は、図１５Ｂに示されているように、ネットワーク接続が切断されたことを検知し、図１５Ｃに示されているように、管理サーバ７００に対するタグＩＤ要求コマンド送信許可の要求の送信を停止する。
【００９１】
情報処理機器６１２がエリアＢに入ると、図１５Ａに示されているように、情報処理機器６１２はネットワーク接続状態に移行する。図１５Ｂに示されているように、送信要求部６４２および応答受信部６４４は、新たなネットワーク接続を検知する。送信要求部６４２は、ネットワーク接続期間中に管理サーバ７００に周期的にタグＩＤ要求コマンド送信許可の要求を送信し始める。この場合、図１４Ｂに示されているように、エリアＢにおいて、管理サーバ７００は、既に情報処理機器６２２をコマンド送信局として指定しているので、図１５Ｄに示されているように情報処理機器６１２には不許可の応答を送信し返す。
【００９２】
その後、情報処理機器６２２がエリアＢから出ると、管理サーバ７００は、図１４Ｃに示されているように、管理サーバ７００は、別の情報処理機器（この場合情報処理機器６１２）からの最初のタグＩＤ要求コマンド送信許可の要求に応答して、エリアＢにおけるコマンド送信局として別の情報処理機器（この場合、情報処理機器６１２）を指定する。従って、図１５Ｄの右側に示されているように、タグＩＤ要求コマンド送信の許可を情報処理機器６１２に送信する。応答受信部６４４は、その許可の受信に応答して、管理制御部６２に許可を供給する。その許可に応答して、管理制御部６２は、図１５Ｅに示されているようにタグＩＤ要求コマンド送信の許可コマンドをリーダ／ライタ装置３０２に供給し始める。管理制御部６２からの許可に応答して、リーダ／ライタ装置３０２は、図１５Ｆに示されているようにタグＩＤ要求コマンドを送信し続ける。
【００９３】
図１６は、管理サーバ７００のプロセッサ７０２によって実行される、タグＩＤ要求コマンド送信の許可の要求に応答してその送信の許可を供給するためのフローチャートを示している。管理サーバ７００は、ＬＡＮ４０を介してタグＩＤ要求コマンド送信許可の要求を表す信号を受信する。その受信に応答して、管理サーバ７００のプロセッサ７０２は、ステップ１６０２において、無線８００〜８１０または有線ルータ８００’〜８１０’を検索して、許可の要求を送信したルータのエリアを特定し、例えばエリアＡを特定する。
【００９４】
ステップ１６０４において、プロセッサ７０２は、受信した要求が、例えば図１４Ａのような管理リスト中の指定されたエリア内のコマンド送信局として指定された情報処理機器からの要求かどうかを判定する。その要求がコマンド送信局の情報処理機器からのものであると判定された場合は、ステップ１６０６において、プロセッサ７０２は、コマンド送信の許可を送信し、管理リストに現在の時刻（例えば、１２：００．０１）を記録する。
【００９５】
ステップ１６０４においてそのタグＩＤ要求コマンド送信許可の要求がコマンド送信局としての情報処理機器からのものでないと判定された場合は、ステップ１６１０において、管理リスト中のコマンド送信局からのタグＩＤ要求コマンド送信許可の要求が前回の要求から所定時間（例えば１秒）内にあったかどうかを判定する。そのような要求が前回の要求から所定時間内にあったと判定された場合は、ステップ１６１４において、今回のその要求を送信した情報処理機器に不許可を送信し返す。ステップ１６１０において管理リスト中のコマンド送信局としての情報処理機器からの要求が前回の要求から所定時間内になかったと判定された場合は、ステップ１６１２において、今回の要求を送信した情報処理機器を管理リストのそのエリアにおけるコマンド送信局として設定して、タグＩＤ要求コマンド送信の許可を表す信号をその情報処理機器に送信し返す。
【００９６】
以上の説明では、本発明をＲＦ  ＩＤタグに関連して説明したが、これに限定されることなく、本発明が非接触ＩＣカードにも適用できることは、この分野の専門家には理解されるであろう。
【００９７】
以上説明した実施形態は典型例として挙げたに過ぎず、その各実施形態の構成要素を組み合わせること、その変形およびバリエーションは当業者にとって明らかであり、当業者であれば本発明の原理および請求の範囲に記載した発明の範囲を逸脱することなく上述の実施形態の種々の変形を行えることは明らかである。
【００９８】
以上の実施例を含む実施形態に関して、さらに以下の付記を開示する。
（付記１）  ネットワーク上にあって所定の領域に設けられた所定の通信装置を介して前記ネットワークに接続可能な１つ以上の情報処理機器と、
前記ネットワークを介して前記１つ以上の情報処理機器と通信するよう構成された管理情報処理装置と、
を含む、非接触情報記憶装置内の情報にアクセスするための情報アクセス・システムであって、
前記１つ以上の情報処理機器の各々は読取り書込み装置を具え、
前記読取り書込み装置は、非接触情報記憶装置に第１の周波数の情報要求ＲＦ信号を周期的に繰り返し送信する送信部と、非接触情報記憶装置から第２の周波数の応答ＲＦ信号をいつでも受信可能なように連続的な受信待ち状態をとるよう構成された受信部と、を有し、
前記１つ以上の情報処理機器の各々は、前記所定の通信装置を介して前記ネットワークに接続されている期間に、前記情報要求ＲＦ信号の送信の許可を要求する要求信号を周期的に前記管理情報処理装置に送信し、
前記管理情報処理装置は、前記１つ以上の情報処理機器の中の１つの情報処理機器から前記要求信号を受信したとき、前記１つ以上の情報処理機器の中に前記情報要求ＲＦ信号の送信を許可された別の情報処理機器が存在しない場合に、前記情報要求ＲＦ信号の送信の許可を表す応答信号を前記１つの情報処理機器に送信し、それによって任意の時点で前記１つ以上の情報処理機器の中の１つの情報処理機器だけが前記情報要求ＲＦ信号を送信するよう構成されていることを特徴とする、情報アクセス・システム。
（付記２）  前記管理情報処理装置は、前記情報要求ＲＦ信号の送信を許可された情報処理機器の識別情報を記憶装置に保持し、前記１つの情報処理機器から前記要求信号を受信したとき、前記記憶装置に保持された識別情報に対応する別の情報処理機器から所定時間以上前記要求信号を受信していない場合は、前記記憶装置に保持された識別情報を前記１つの情報処理装置の識別情報に書き換えて、前記情報要求ＲＦ信号の送信の許可を表す応答信号を前記１つの情報処理機器に送信することを特徴とする、付記１に記載の情報アクセス・システム。
（付記３）  前記管理情報処理装置は、前記情報要求ＲＦ信号の送信を許可された情報処理機器の識別情報を記憶装置に保持し、前記１つの情報処理機器から前記要求信号を受信したとき、前記記憶装置に保持された前記情報要求ＲＦ信号の送信を許可された別の情報処理機器の識別情報が存在する場合は、前記情報要求ＲＦ信号の送信の不許可を表す応答信号を前記１つの情報処理機器に送信することを特徴とする、付記１に記載の情報アクセス・システム。
（付記４）  前記１つ以上の情報処理機器の各々は、さらに、
その情報処理機器が前記ネットワークに接続されていることを検知したときに、前記ネットワークを介して前記情報要求ＲＦ信号の送信の許可を要求する要求信号を周期的に前記管理情報処理装置に送信する要求手段と、
その情報処理機器が前記ネットワークに接続されていることを検知しかつ前記情報要求ＲＦ信号の送信の許可を表す応答信号を受信したときに、その情報処理機器の前記読取り書込み装置に前記情報要求ＲＦ信号を周期的に繰り返し送信させる制御手段と、
を具えており、
前記要求手段は、その情報処理機器が前記ネットワークから切断されたことを検知したとき、前記要求信号の送信を停止し、
前記制御手段は、前記情報要求ＲＦ信号の送信の不許可を表す応答信号を前記管理情報処理装置から受信したとき、またはその情報処理機器の前記ネットワークとの接続が切断されたことを検知したとき、前記読取り書込み装置の前記送信部を不動作状態にすることを特徴とする、付記１に記載の情報アクセス・システム。
（付記５）  前記非接触情報記憶装置は、メモリと、制御部と、バッテリと、時間を測定するタイマと、前記第１の周波数のＲＦ信号をキャリア・センスして検知するよう動作する受信部と、前記情報要求ＲＦ信号を受信したときに前記第２の周波数の前記応答ＲＦ信号を送信する送信部と、を具え、
前記制御部は、前記受信部を、所定の周期毎の所定期間に前記第１の周波数のＲＦ信号をキャリア・センスするよう制御し、
前記受信部が或る所定期間に前記第１の周波数のＲＦ信号をキャリア・センスして検知したとき、前記制御部は、前記受信部をさらに前記情報要求ＲＦ信号を受信するよう動作させ、前記情報要求ＲＦ信号に応答して、前記送信部を、前記メモリに格納された前記非接触情報記憶装置のＩＤを含む前記第２の周波数の応答ＲＦ信号を送信するよう動作させ、
前記制御部は、キャリア・センスのとき、前記或る所定期間および次の所定期間において前記受信部を動作状態にしかつ前記送信部を不動作状態にし、前記受信部が前記或る所定期間に前記第１の周波数のＲＦ信号をキャリア・センスしても検知できなかったとき、前記キャリア・センスの前記或る所定期間と次にキャリア・センスを行うべき前記次の所定期間との間の非キャリア・センス期間において、前記受信部および前記送信部を不動作状態を維持するよう制御することを特徴とする、付記１に記載の情報アクセス・システム。
（付記６）  前記所定の通信装置が無線ルータまたは有線ルータであることを特徴とする、付記１に記載の情報アクセス・システム。
（付記７）  ネットワーク上にあり異なる複数の領域にそれぞれ設けられた複数の通信装置であって、前記複数の領域において非接触情報記憶装置と通信可能な１つ以上の情報処理機器と接続可能な複数の通信装置と、
前記ネットワーク上で前記複数の通信装置を介して前記１つ以上の情報処理機器と通信するよう構成された管理情報処理装置と、
を含む、非接触情報記憶装置内の情報にアクセスするための情報アクセス・システムであって、
前記１つ以上の情報処理機器の各々は、非接触情報記憶装置に第１の周波数の情報要求ＲＦ信号を周期的に繰り返し送信し、非接触情報記憶装置から第２の周波数の応答ＲＦ信号をいつでも受信可能なように連続的な受信待ち状態をとるよう構成されており、
前記１つ以上の情報処理機器の各々は、前記１つ以上の通信装置の中の１つの通信装置を介して前記ネットワークに接続されている期間に、前記情報要求ＲＦ信号の送信の許可を要求する要求信号を周期的に前記管理情報処理装置に送信し、
前記管理情報処理装置は、前記情報要求ＲＦ信号の送信を許可された情報処理機器の識別情報を記憶装置に保持し、前記１つ以上の情報処理機器の中の１つの情報処理機器から記情報要求ＲＦ信号の送信の許可を要求する要求信号を受信したとき、前記記憶装置に前記情報要求ＲＦ信号の送信を許可された別の情報処理機器の識別情報が存在しない場合に、前記情報要求ＲＦ信号の送信の許可を表す応答信号を前記１つの情報処理機器を送信し、それによって任意の時点で前記１つ以上の情報処理機器の中の１つの情報処理機器だけが前記情報要求ＲＦ信号を送信するよう構成されていることを特徴とする、情報アクセス・システム。
（付記８）  プロセッサと、記憶装置と、ネットワーク・インタフェースとを具え、ネットワークを介して１つ以上の情報処理機器と通信するよう構成された管理情報処理装置であって、
前記１つ以上の情報処理機器の各々は、非接触情報記憶装置に第１の周波数の情報要求ＲＦ信号を周期的に繰り返し送信し、非接触情報記憶装置から第２の周波数の応答ＲＦ信号をいつでも受信可能なように連続的な受信待ち状態をとるよう構成されており、
前記記憶装置は、前記情報要求ＲＦ信号の送信を許可された情報処理機器の識別情報を保持し、
前記プロセッサは、前記１つ以上の情報処理機器の中の１つの情報処理機器から前記情報要求ＲＦ信号の送信の許可を要求する要求信号を受信したとき、前記記憶装置の中に前記情報要求ＲＦ信号の送信を許可された別の情報処理機器の識別情報が存在しない場合に、前記情報要求ＲＦ信号の送信の許可を表す応答信号を前記１つの情報処理機器に送信し、前記記憶装置の中に前記情報要求ＲＦ信号の送信を許可された別の情報処理機器の識別情報が存在する場合は、前記情報要求ＲＦ信号の送信の不許可を表す応答信号を前記１つの情報処理機器に送信することを特徴とする、管理情報処理装置。
（付記９）  前記情報要求ＲＦ信号の送信の許可を表す応答信号を送信した前記１つの情報処理機器からの前記情報要求ＲＦ信号の送信の許可を要求する要求信号を所定時間の間受信していない場合に、前記１つの情報処理機器とは異なる、前記情報要求ＲＦ信号の送信の許可を要求する要求信号を受信した別の情報処理機器に対して、前記情報要求ＲＦ信号の送信の許可を表す応答信号を送信することを特徴とする、付記８に記載の管理情報処理装置。
（付記１０）  複数の通信装置に接続されたネットワークと、
前記ネットワーク上の前記複数の通信装置を介して複数の情報処理機器と通信するよう構成された管理情報処理装置と、
を含む情報アクセス・システムにおいて、非接触情報記憶装置内の情報にアクセスする方法であって、
前記複数の通信装置は、異なる複数の領域にそれぞれ設けられていて、前記複数の領域において非接触情報記憶装置と通信可能であり、
前記情報要求ＲＦ信号の送信を許可された情報処理機器の識別情報を前記管理情報処理装置の記憶装置に保持する工程と、
前記管理情報処理装置によって、前記複数の情報処理機器の中の１つの情報処理機器から前記情報要求ＲＦ信号の送信の許可を要求する要求信号を受信する工程と、
前記管理情報処理装置によって、前記要求信号の受信に応答して、前記記憶装置の中に前記情報要求ＲＦ信号の送信を許可された別の情報処理機器の識別情報が存在しない場合に、前記情報要求ＲＦ信号の送信の許可を表す応答信号を前記１つの情報処理機器に送信し、前記記憶装置の中に前記情報要求ＲＦ信号の送信を許可された別の情報処理機器の識別情報が存在する場合に、前記情報要求ＲＦ信号の送信の不許可を表す応答信号を前記１つの情報処理機器に送信する工程と、
を含む、方法。
（付記１１）  ネットワーク上にあって所定の領域に設けられた所定の通信装置を介して前記ネットワークに接続可能な１つ以上の情報処理機器と、
前記ネットワークを介して前記１つ以上の情報処理機器と通信するよう構成された管理情報処理装置と、
を含む情報アクセス・システムにおいて、非接触情報記憶装置内の情報にアクセスする方法であって、
前記１つ以上の情報処理機器の各々は読取り書込み装置を具え、
前記読取り書込み装置は、非接触情報記憶装置に第１の周波数の情報要求ＲＦ信号を周期的に繰り返し送信する送信部と、非接触情報記憶装置から第２の周波数の応答ＲＦ信号をいつでも受信可能なように連続的な受信待ち状態をとるよう構成された受信部と、を有し、
前記１つ以上の情報処理機器の各々において、前記所定の通信装置を介して前記ネットワークに接続されている期間に、前記情報要求ＲＦ信号の送信の許可を要求する要求信号を周期的に前記管理情報処理装置に送信し、
前記管理情報処理装置において、前記１つ以上の情報処理機器の中の１つの情報処理機器から前記要求信号を受信したとき、前記１つ以上の情報処理機器の中に前記情報要求ＲＦ信号の送信を許可された別の情報処理機器が存在しない場合に、前記情報要求ＲＦ信号の送信の許可を表す応答信号を前記１つの情報処理機器に送信し、それによって任意の時点で前記１つ以上の情報処理機器の中の１つの情報処理機器だけが前記情報要求ＲＦ信号を送信することを特徴とする、非接触情報記憶装置内の情報にアクセスする方法。
（付記１２）  前記管理情報処理装置において、前記情報要求ＲＦ信号の送信を許可された情報処理機器の識別情報を記憶装置に保持し、前記１つの情報処理機器から前記要求信号を受信したとき、前記記憶装置に保持された識別情報に対応する別の情報処理機器から所定時間以上前記要求信号を受信していない場合は、前記記憶装置に保持された識別情報を前記１つの情報処理装置の識別情報に書き換えて、前記情報要求ＲＦ信号の送信の許可を表す応答信号を前記１つの情報処理機器に送信させることを特徴とする、付記１１に記載の非接触情報記憶装置内の情報にアクセスする方法。
（付記１３）  前記管理情報処理装置において、前記情報要求ＲＦ信号の送信を許可された情報処理機器の識別情報を記憶装置に保持し、前記１つの情報処理機器から前記要求信号を受信したとき、前記記憶装置に保持された前記情報要求ＲＦ信号の送信を許可された別の情報処理機器の識別情報が存在する場合は、前記情報要求ＲＦ信号の送信の不許可を表す応答信号を前記１つの情報処理機器に送信することを特徴とする、付記１１に記載の非接触情報記憶装置内の情報にアクセスする方法。
（付記１４）  前記１つ以上の情報処理機器の各々は、さらに、
その情報処理機器が前記ネットワークに接続されていることを検知したときに、前記ネットワークを介して前記情報要求ＲＦ信号の送信の許可を要求する要求信号を周期的に前記管理情報処理装置に送信する要求手段と、
その情報処理機器が前記ネットワークに接続されていることを検知しかつ前記情報要求ＲＦ信号の送信の許可を表す応答信号を受信したときに、その情報処理機器の前記読取り書込み装置に前記情報要求ＲＦ信号を周期的に繰り返し送信させる制御手段と、
を具えており、
前記要求手段において、その情報処理機器が前記ネットワークから切断されたことを検知したとき、前記要求手段に前記要求信号の送信を停止し、
前記制御手段において、前記情報要求ＲＦ信号の送信の不許可を表す応答信号を前記管理情報処理装置から受信したとき、またはその情報処理機器の前記ネットワークとの接続が切断されたことを検知したとき、前記制御手段の制御の下で、前記読取り書込み装置の前記送信部を不動作状態にすることを特徴とする、付記１１に記載の非接触情報記憶装置内の情報にアクセスする方法。
（付記１５）  前記非接触情報記憶装置は、メモリと、制御部と、バッテリと、時間を測定するタイマと、前記第１の周波数のＲＦ信号をキャリア・センスして検知するよう動作する受信部と、前記情報要求ＲＦ信号を受信したときに前記第２の周波数の前記応答ＲＦ信号を送信する送信部と、を具え、
前記制御部の制御の下で、前記受信部を、所定の周期毎の所定期間に前記第１の周波数のＲＦ信号をキャリア・センスするよう制御し、
前記受信部が或る所定期間に前記第１の周波数のＲＦ信号をキャリア・センスして検知したとき、前記制御部の制御の下で、前記受信部をさらに前記情報要求ＲＦ信号を受信するよう動作させ、前記情報要求ＲＦ信号に応答して、前記送信部を、前記メモリに格納された前記非接触情報記憶装置のＩＤを含む前記第２の周波数の応答ＲＦ信号を送信するよう動作させ、
キャリア・センスのとき、前記制御部の制御の下で、前記或る所定期間および次の所定期間において前記受信部を動作状態にしかつ前記送信部を不動作状態にし、前記受信部が前記或る所定期間に前記第１の周波数のＲＦ信号をキャリア・センスしても検知できなかったとき、前記キャリア・センスの前記或る所定期間と次にキャリア・センスを行うべき前記次の所定期間との間の非キャリア・センス期間において、前記受信部および前記送信部を不動作状態を維持するよう制御することを特徴とする、付記１１に記載の非接触情報記憶装置内の情報にアクセスする方法。
（付記１６）  ネットワーク上にあり異なる複数の領域にそれぞれ設けられた複数の通信装置であって、前記複数の領域において非接触情報記憶装置と通信可能な１つ以上の情報処理機器と接続可能な複数の通信装置と、
前記ネットワーク上で前記複数の通信装置を介して前記１つ以上の情報処理機器と通信するよう構成された管理情報処理装置と、
を含む情報アクセス・システムにおいて、非接触情報記憶装置内の情報にアクセスする方法であって、
前記１つ以上の情報処理機器の各々において、非接触情報記憶装置に第１の周波数の情報要求ＲＦ信号を周期的に繰り返し送信し、非接触情報記憶装置から第２の周波数の応答ＲＦ信号をいつでも受信可能なように連続的な受信待ち状態をとり、
前記１つ以上の情報処理機器の各々において、前記１つ以上の通信装置の中の１つの通信装置を介して前記ネットワークに接続されている期間に、前記情報要求ＲＦ信号の送信の許可を要求する要求信号を周期的に前記管理情報処理装置に送信し、
前記管理情報処理装置において、前記情報要求ＲＦ信号の送信を許可された情報処理機器の識別情報を記憶装置に保持し、前記１つ以上の情報処理機器の中の１つの情報処理機器から記情報要求ＲＦ信号の送信の許可を要求する要求信号を受信したとき、前記記憶装置に前記情報要求ＲＦ信号の送信を許可された別の情報処理機器の識別情報が存在しない場合に、前記情報要求ＲＦ信号の送信の許可を表す応答信号を前記１つの情報処理機器を送信し、それによって任意の時点で前記１つ以上の情報処理機器の中の１つの情報処理機器だけが前記情報要求ＲＦ信号を送信するよう構成されていることを特徴とする、非接触情報記憶装置内の情報にアクセスする方法。
（付記１７）  複数の通信装置に接続されたネットワークと、
前記ネットワーク上の前記複数の通信装置を介して複数の情報処理機器と通信するよう構成された管理情報処理装置と、
を含む情報アクセス・システムに用いられる、非接触情報記憶装置内の情報にアクセスするためのプログラムであって、
前記複数の通信装置は、異なる複数の領域にそれぞれ設けられていて、前記複数の領域において非接触情報記憶装置と通信可能であり、
前記情報要求ＲＦ信号の送信を許可された情報処理機器の識別情報を前記管理情報処理装置の記憶装置に保持するステップと、
前記管理情報処理装置において、前記複数の情報処理機器の中の１つの情報処理機器から前記情報要求ＲＦ信号の送信の許可を要求する要求信号を受信するステップと、
前記管理情報処理装置において、前記要求信号の受信に応答して、前記記憶装置の中に前記情報要求ＲＦ信号の送信を許可された別の情報処理機器の識別情報が存在しない場合に、前記情報要求ＲＦ信号の送信の許可を表す応答信号を前記１つの情報処理機器に送信し、前記記憶装置の中に前記情報要求ＲＦ信号の送信を許可された別の情報処理機器の識別情報が存在する場合に、前記情報要求ＲＦ信号の送信の不許可を表す応答信号を前記１つの情報処理機器に送信するステップと、
を実行するよう動作可能なプログラム。
（付記１８）  ネットワーク上にあって所定の領域に設けられた所定の通信装置を介して前記ネットワークに接続可能な１つ以上の情報処理機器と、
前記ネットワークを介して前記１つ以上の情報処理機器と通信するよう構成された管理情報処理装置と、
を含む情報アクセス・システムに用いられる、非接触情報記憶装置内の情報にアクセスするためのプログラムであって、
前記１つ以上の情報処理機器の各々は読取り書込み装置を具え、
前記読取り書込み装置は、非接触情報記憶装置に第１の周波数の情報要求ＲＦ信号を周期的に繰り返し送信する送信部と、非接触情報記憶装置から第２の周波数の応答ＲＦ信号をいつでも受信可能なように連続的な受信待ち状態をとるよう構成された受信部と、を有し、
前記１つ以上の情報処理機器の各々において、前記所定の通信装置を介して前記ネットワークに接続されている期間に、前記情報要求ＲＦ信号の送信の許可を要求する要求信号を周期的に前記管理情報処理装置に送信するステップと、
前記管理情報処理装置において、前記１つ以上の情報処理機器の中の１つの情報処理機器から前記要求信号を受信したとき、前記１つ以上の情報処理機器の中に前記情報要求ＲＦ信号の送信を許可された別の情報処理機器が存在しない場合に、前記情報要求ＲＦ信号の送信の許可を表す応答信号を前記１つの情報処理機器に送信するステップと、
を実行するよう動作可能であり、
それによって任意の時点で前記１つ以上の情報処理機器の中の１つの情報処理機器だけが前記情報要求ＲＦ信号を送信することを特徴とする、プログラム。
（付記１９）  さらに、前記管理情報処理装置において、前記情報要求ＲＦ信号の送信を許可された情報処理機器の識別情報を記憶装置に保持し、前記１つの情報処理機器から前記要求信号を受信したとき、前記記憶装置に保持された識別情報に対応する別の情報処理機器から所定時間以上前記要求信号を受信していない場合は、前記記憶装置に保持された識別情報を前記１つの情報処理装置の識別情報に書き換えて、前記情報要求ＲＦ信号の送信の許可を表す応答信号を前記１つの情報処理機器に送信するステップを実行するよう動作可能な、付記１８に記載のプログラム。
（付記２０）  さらに、前記管理情報処理装置において、前記情報要求ＲＦ信号の送信を許可された情報処理機器の識別情報を記憶装置に保持し、前記１つの情報処理機器から前記要求信号を受信したとき、前記記憶装置に保持された前記情報要求ＲＦ信号の送信を許可された別の情報処理機器の識別情報が存在する場合は、前記情報要求ＲＦ信号の送信の不許可を表す応答信号を前記１つの情報処理機器に送信するステップを実行するよう動作可能な、付記１８に記載のプログラム。
（付記２１）  前記１つ以上の情報処理機器の各々は、さらに、
その情報処理機器が前記ネットワークに接続されていることを検知したときに、前記ネットワークを介して前記情報要求ＲＦ信号の送信の許可を要求する要求信号を周期的に前記管理情報処理装置に送信する要求手段と、
その情報処理機器が前記ネットワークに接続されていることを検知しかつ前記情報要求ＲＦ信号の送信の許可を表す応答信号を受信したときに、その情報処理機器の前記読取り書込み装置に前記情報要求ＲＦ信号を周期的に繰り返し送信させる制御手段と、
を具えており、
前記要求手段において、その情報処理機器が前記ネットワークから切断されたことを検知したとき、前記要求信号の送信を停止するステップと、
前記制御手段において、前記情報要求ＲＦ信号の送信の不許可を表す応答信号を前記管理情報処理装置から受信したとき、またはその情報処理機器の前記ネットワークとの接続が切断されたことを検知したとき、前記制御手段の制御の下で前記読取り書込み装置の前記送信部を不動作状態にするステップと、
を実行するよう動作可能な、付記１８に記載のプログラム。
（付記２２）  前記非接触情報記憶装置は、メモリと、制御部と、バッテリと、時間を測定するタイマと、前記第１の周波数のＲＦ信号をキャリア・センスして検知するよう動作する受信部と、前記情報要求ＲＦ信号を受信したときに前記第２の周波数の前記応答ＲＦ信号を送信する送信部と、を具え、
さらに、前記制御部の制御の下で、前記受信部を、所定の周期毎の所定期間に前記第１の周波数のＲＦ信号をキャリア・センスするよう制御するステップと、
前記受信部が或る所定期間に前記第１の周波数のＲＦ信号をキャリア・センスして検知したとき、前記制御部の制御の下で、前記受信部をさらに前記情報要求ＲＦ信号を受信するよう動作させ、前記情報要求ＲＦ信号に応答して、前記送信部を、前記メモリに格納された前記非接触情報記憶装置のＩＤを含む前記第２の周波数の応答ＲＦ信号を送信するよう動作させるステップと、
キャリア・センスのとき、前記制御部の制御の下で、前記或る所定期間および次の所定期間において前記受信部を動作状態にしかつ前記送信部を不動作状態にし、前記受信部が前記或る所定期間に前記第１の周波数のＲＦ信号をキャリア・センスしても検知できなかったとき、前記キャリア・センスの前記或る所定期間と次にキャリア・センスを行うべき前記次の所定期間との間の非キャリア・センス期間において、前記受信部および前記送信部を不動作状態を維持するよう制御するステップとを実行するよう動作可能な、付記１８に記載のプログラム。
（付記２３）  ネットワーク上にあり異なる複数の領域にそれぞれ設けられた複数の通信装置であって、前記複数の領域において非接触情報記憶装置と通信可能な１つ以上の情報処理機器と接続可能な複数の通信装置と、
前記ネットワーク上で前記複数の通信装置を介して前記１つ以上の情報処理機器と通信するよう構成された管理情報処理装置と、
を含む情報アクセス・システムに用いられる、非接触情報記憶装置内の情報にアクセスするためのプログラムであって、
前記１つ以上の情報処理機器の各々において、非接触情報記憶装置に第１の周波数の情報要求ＲＦ信号を周期的に繰り返し送信し、非接触情報記憶装置から第２の周波数の応答ＲＦ信号をいつでも受信可能なように連続的な受信待ち状態をとるステップと、
前記１つ以上の情報処理機器の各々において、前記１つ以上の通信装置の中の１つの通信装置を介して前記ネットワークに接続されている期間に、前記情報要求ＲＦ信号の送信の許可を要求する要求信号を周期的に前記管理情報処理装置に送信するステップと、
前記管理情報処理装置において、前記情報要求ＲＦ信号の送信を許可された情報処理機器の識別情報を記憶装置に保持し、前記１つ以上の情報処理機器の中の１つの情報処理機器から記情報要求ＲＦ信号の送信の許可を要求する要求信号を受信したとき、前記記憶装置に前記情報要求ＲＦ信号の送信を許可された別の情報処理機器の識別情報が存在しない場合に、前記情報要求ＲＦ信号の送信の許可を表す応答信号を前記１つの情報処理機器を送信するステップと、
を実行するよう動作可能であり、
それによって任意の時点で前記１つ以上の情報処理機器の中の１つの情報処理機器だけが前記情報要求ＲＦ信号を送信することを特徴とするプログラム。
【図面の簡単な説明】
【００９９】
【図１】図１は、従来の改良型のアクティブＲＦ  ＩＤタグを読み取るためのリーダ／ライタ装置とＲＦ  ＩＤタグのタイムチャートを示している。
【図２】図２は、さらに改良されたアクティブＲＦ  ＩＤタグとリーダ／ライタ装置３００の構成を示している。
【図３】図３Ａは、リーダ／ライタ装置のコマンドを含むＲＦ信号の送信処理のタイミングを示している。図３Ｂは、リーダ／ライタ装置の受信待ち状態および受信ＲＦ信号の受信処理のタイミングを示している。図３Ｃは、アクティブＲＦ  ＩＤタグのキャリア・センス、受信ＲＦ信号の受信処理、および応答を含むＲＦ信号の送信処理のタイミングを示している。
【図４】図４は、リーダ／ライタ装置によって実行される処理のフローチャートを示している。
【図５Ａ】図５Ａおよび５Ｂは、アクティブＲＦ  ＩＤタグによって実行される処理のフローチャートを示している。
【図５Ｂ】（図5Aで説明）
【図６】図６は、図２の構成を変形したより安全なアクティブＲＦ  ＩＤタグとリーダ／ライタ装置の構成を示している。
【図７】図７Ａは、リーダ／ライタ装置のＩＤ要求コマンドを含むＲＦ信号の送信処理のタイミングを示している。図７Ｂは、リーダ／ライタ装置の受信待ち状態および受信ＲＦ信号の受信処理のタイミングを示している。図７Ｃは、アクティブＲＦ  ＩＤタグのキャリア・センス、受信ＲＦ信号の受信処理、および認証成功の場合における応答を含むＲＦ信号の送信処理のタイミングを示している。
【図８】図８は、リーダ／ライタ装置によって実行される処理のフローチャートを示している。
【図９Ａ】図９Ａおよび９Ｂは、アクティブＲＦ  ＩＤタグによって実行される処理のフローチャートを示している。
【図９Ｂ】（図9Aで説明）
【図１０】図１０は、異なる位置に配置された同じ構成の複数のリーダ／ライタ装置の破線で示されたそれぞれの通信可能範囲に位置するアクティブＲＦ  ＩＤタグを示している。
【図１１】図１１は、本発明の実施形態による、２つの無線ルータによってカバーされるエリアＡにおける複数の情報処理機器と、無線ルータによってカバーされるエリアＢにおける複数の情報処理機器とを示している。
【図１２】図１２は、本発明の別の実施形態による、２つの有線ルータに有線ＬＡＮを介して接続されたエリアＡにおける複数の情報処理機器と、有線ルータに有線ＬＡＮを介して接続されたエリアＢにおける複数の情報処理機器とを示している。
【図１３】図１３は、図１１の移動局である情報処理機器の構成を示している。
【図１４】図１４Ａ、１４Ｂおよび１４Ｃは、管理サーバが保持している管理リストの例を示している。
【図１５】図１５Ａ〜１５Ｆは、それぞれ、情報処理機器の無線ルータまたは有線ルータを介したネットワーク上の管理サーバとの接続状態、ネットワーク接続の検知、情報処理機器によるタグＩＤ要求コマンド送信許可の要求の送信、情報処理機器によるタグＩＤ要求コマンド送信の許可または不許可の応答の受信、情報処理機器におけるリーダ／ライタ装置に対するタグＩＤ要求コマンド送信の許可または不許可の供給、リーダ／ライタ装置の送信部のタグＩＤ要求コマンド送信のタイムチャートの例を示している。
【図１６】図１６は、管理サーバのプロセッサによって実行される、タグＩＤ要求コマンド送信の許可の要求に応答してその許可を供給するためのフローチャートを示している。
【符号の説明】
【０１００】
４０  ＬＡＮ
２０２  ＲＦ  ＩＤタグ
７００  管理サーバ
６００〜６２２  リーダ／ライタ装置を有する情報処理機器
８００、８０２、８１０  無線ルータ
【図１】
2008009867.tif 000003
【図２】
2008009867.tif 000004
【図３】
2008009867.tif 000005
【図４】
2008009867.tif 000006
【図５Ａ】
2008009867.tif 000007
【図５Ｂ】
2008009867.tif 000008
【図６】
2008009867.tif 000009
【図７】
2008009867.tif 000010
【図８】
2008009867.tif 000011
【図９Ａ】
2008009867.tif 000012
【図９Ｂ】
2008009867.tif 000013
【図１０】
2008009867.tif 000014
【図１１】
2008009867.tif 000015
【図１２】
2008009867.tif 000016
【図１３】
2008009867.tif 000017
【図１４】
2008009867.tif 000018
【図１５】
2008009867.tif 000019
【図１６】
2008009867.tif 000020